(57)【要約】【課題】シミュレーションにおけるモデル化の工数を低減し、かつシミュレーションの演算時間を短くすることができる電磁波解析装置を実現する。【解決手段】電磁波解析装置は、複数の要素からなる構造体の電磁界状態を解析する電磁波解析装置であって、メッシュデータ生成部と、電気回路素子要素設定部と、電磁波解析部とを有する。メッシュデータ生成部は、構造体の形状データから、メッシュ分割によりメッシュデータを生成する。電気回路素子要素設定部は、メッシュデータ生成部により生成されたメッシュデータにより表現される複数の要素の中から、解析周波数に対して無視できない大きさの要素についてメッシュデータに代えて周波数特性を有する電気回路素子を用いて表現される前記要素を設定する。電磁波解析部は、メッシュデータと電気回路素子により表現された要素とに対して電磁界状態の解析を行う。【選択図】図７
2005291948.tif 000002
【特許請求の範囲】
【請求項１】
複数の要素からなる構造体の電磁界状態を解析する電磁波解析装置であって、
前記構造体の形状データから、メッシュ分割によりメッシュデータを生成するメッシュデータ生成部と、
該メッシュデータ生成部により生成された前記メッシュデータにより表現される前記複数の要素の中から、解析周波数に対して無視できない大きさの前記要素について前記メッシュデータに代えて周波数特性を有する電気回路素子を用いて表現される前記要素を設定する電気回路素子要素設定部と、
前記メッシュデータと前記電気回路素子により表現された前記要素とに対して電磁界状態の解析を行う電磁波解析部とを有することを特徴とする電磁波解析装置。
【請求項２】
前記電気回路素子は、集中定数素子であることを特徴とする請求項１に記載の電磁波解析装置。
【請求項３】
前記集中定数素子は、誘導素子、抵抗素子及び容量素子のいずれか、又は誘導素子、抵抗素子及び容量素子の中から少なくとも２つ以上の組み合わせであることを特徴とする請求項２に記載の電磁波解析装置。
【請求項４】
前記構造体は、車両及びアンテナを含み、
前記電磁波解析部は、前記アンテナの電磁波解析を行うことを特徴とする請求項１から請求項３のいずれかに記載の電磁波解析装置。
【請求項５】
前記電気回路素子を用いて表現される前記要素は、前記車両におけるヒンジ部であることを特徴とする請求項４に記載の電磁波解析装置。
【請求項６】
複数の要素からなる構造体の電磁界状態の解析手法であって、
構造体の形状データから、メッシュ分割によりメッシュデータを生成するメッシュデータ生成ステップと、
前記メッシュデータにより表現される前記複数の要素の中から、解析周波数に対して無視できない大きさの前記要素について、前記メッシュデータに代えて周波数特性を有する電気回路素子を用いて表現される前記要素を設定する電気回路素子要素設定ステップと、
前記メッシュデータと前記電気回路素子により表現された前記要素とに対して電磁界状態の解析を行う電磁波解析ステップとにより、前記構造体のモデル化を行うことを特徴とする電磁界状態の解析手法。
【発明の詳細な説明】
【技術分野】
【０００１】
本発明は、電磁波解析装置及びその解析方法に関し、特に、解析対象のメッシュデータを利用する電磁波解析装置及びその解析方法に関する。
【背景技術】
【０００２】
従来より、電磁波の影響を受ける、あるいは電磁波に影響を与える種々の装置において、例えば、アンテナの性能、ノイズ対策等のために、電磁波解析が行われている。例えば、車載用ガラスアンテアの開発設計において、アンテナのパターン形状は、試行錯誤により、設計され、製作されている。試作的に製作されたアンテナを実際の車両に搭載して、電波の伝搬室内で実際に電波を発信し、発信された電波を実測してアンテナの性能評価を行い、その評価結果に基づいて、アンテナのパターン形状を修正して再度性能評価を行う、という作業が繰り返して行われていた。この試行錯誤的なアプローチは、時間が掛かるという欠点があった。
【０００３】
そこで、この電磁波解析に、コンピュータによるシミュレーション技術の利用が考えられる。シミュレーション技術を用いることによって、定量的、定性的に電磁波の解析を行うことができるので、アンテナの開発工数の短縮を図ることができる。車載搭載用ガラスアンテナの性能を解析するシミュレーション方法も提案されている（例えば、特許文献１参照）。
【０００４】
コンピュータによるシミュレーション技術を利用することは、製品開発工数の短縮を図ることができるという利点だけでなく、シミュレーション結果に基づいて、性能向上のためにアンテナ形状のチューニングをどのように行うべきか、すなわちアンテナの一部をどのように削除あるいは引き伸ばしたりすべきかの予想もできるようになるという利点もある。
【特許文献１】特開2002-340954号公報
【発明の開示】
【発明が解決しようとする課題】
【０００５】
電磁波解析のシミュレーションプログラムを利用する場合、解析対象のモデル化が行われ、メッシュデータからなるモデルデータがシミュレーションプログラムに利用される。例えば、車載用アンテナの場合は、車両及びアンテナのモデル化が行われる。
【０００６】
その車両のモデル化の際、車両の構造をそのままモデル化しようとすると、非常に小さな要素にまで分割されたメッシュが生成されることになるが、解析周波数に対して無視できない、大きさの要素であれば、モデル化する必要はない。
【０００７】
しかし、解析周波数に対して影響のある要素であれば、解析対象の構造を非常に小さな要素にまで分割してモデル化しなければならないが、解析対象が、例えば車両等の場合、複雑な形状の部材等もあるため、それらの非常に小さな要素まで含めてメッシュ分割して多数のメッシュからなるモデルを生成するには、多大な工数が掛かってしまうという問題があった。さらに、モデルのメッシュ数が増加すれば、シミュレーションのための演算時間も長くなってしまう。
【０００８】
本発明は、このような課題に鑑みてなされたもので、シミュレーションにおけるモデル化の工数を低減し、かつシミュレーションの演算時間を短くすることができる電磁波解析装置及びその解析方法を提供することを目的とする。
【課題を解決するための手段】
【０００９】
本発明の電磁波解析装置は、複数の要素からなる構造体の電磁界状態を解析する電磁波解析装置であって、前記構造体の形状データから、メッシュ分割によりメッシュデータを生成するメッシュデータ生成部と、該メッシュデータ生成部により生成された前記メッシュデータにより表現される前記複数の要素の中から、解析周波数に対して無視できない大きさの前記要素について前記メッシュデータに代えて周波数特性を有する電気回路素子を用いて表現される前記要素を設定する電気回路素子要素設定部と、前記メッシュデータと前記電気回路素子により表現された前記要素とに対して電磁界状態の解析を行う電磁波解析部とを有する。
【発明の効果】
【００１０】
本発明の電磁波解析装置によれば、シミュレーションにおけるモデル化の工数を低減し、かつシミュレーションの演算時間を短くすることができる。
【発明を実施するための最良の形態】
【００１１】
以下、図面を参照して本発明の実施の形態を説明する。
【００１２】
まず図１に基づき、本実施の形態に係わる電磁波解析装置における電磁波解析の考え方について説明する。図１は、本実施の形態に係わる電磁波解析装置における解析対象のモデル化の原理を説明するための図である。
【００１３】
解析対象である構造体は、通常、複数の要素からなり、電磁波解析のシミュレーションに用いられる３次元データは、各要素を表現するデータである。図１は、説明を簡単にするために、構造体が、３つの要素からなることを示している。図１に示すように、そのデータが例えば３つの要素１，２，３を表現する場合であって、要素１と２は、比較的大きな部材であり、要素３は、要素１と２と比べて小さな部材の集合体である場合がある。例えば、車両であれば、要素１と２は、比較的大きな部材からなるボディ、ドア等であり、要素３は、それらを連結するヒンジ等である。そして、ヒンジは、小さな部材の集合体であったり、形状が複雑であったりするが、電磁波解析の解析周波数に対しては無視できない大きさで、かつ解析周波数帯において周波数特性を有する。またヒンジを含む構造体全体として周波数特性を有する場合もある。解析周波数に対して無視できる大きさとは、例えば電磁波の波長の１００分の１以下の長さであり、解析周波数に対して無視できない大きさとは、例えば電磁波の波長の１００分の１を超える長さである。また、要素によっては、解析周波数に対して無視できない大きさの長さを持つ部材であっても、解析周波数帯において周波数特性を有しないものもある。なお、各要素が、電磁波解析の解析周波数に対しては無視できない大きさで、かつ解析周波数帯において周波数特性を有するか否かは、理論的に判断できるものもあれば、実験的に決定されるものもある。
【００１４】
解析対象である構造体をモデル化する場合、要素１と２は、比較的大きな部材であるため、メッシュ分割により生成されるメッシュ数も少なく、モデル化の工数は少ない。しかし、集合体である要素３は、複雑な構造であるため、メッシュ数も多くなり、モデル化の工数も多くなり、さらに、トータルのシミュレーションのための演算時間も長くなってしまう。そこで、本実施の形態では、要素１と２の部分については、幾何学的な形状のメッシュデータのモデル化を行うが、要素３の部分については、幾何学的な形状のメッシュデータのモデル化を行うのではなく、周波数特性を有する集中定数素子を用いてモデル化を行う。
【００１５】
すなわち、本実施の形態に係る電磁波解析においては、小さな部材の集合体等の要素については、周波数特性を有する電気回路素子を用いてモデル化、すなわち電気回路素子の要素として設定することによって、電磁波解析を行う場合に、シミュレーションにおけるモデル化の工数を低減し、かつシミュレーションの演算時間を短くすることができる。
【００１６】
次に、具体的な例を用いて、本実施の形態に係わる電磁波解析装置について説明する。図２は、車載用アンテナの電磁波解析のシミュレーションの方法を説明するための図である。図３は、電磁波解析シミュレーションを行うための電磁波解析装置の構成を説明するための構成図である。図４は、車両におけるドア部の構成を説明するための図である。図５及ぶ図６は、ヒンジ部３３をモデル化した電気回路の回路構成の例を示す回路図である。
【００１７】
電磁波解析シミュレーションは、例えば、図２に示すように、モデル化された車両１１が、シミュレーションの仮想空間（以下、単に空間という）１２内に配置されていると仮定して行われる。車両１１の所定の位置には、解析対象の車載用アンテナ１３が搭載される。空間１２内において、車載用アンテナ１３を送信用のアンテナとし、車両１１から離れた位置に設けられた受信用のアンテナ１４を受信用のアンテナと仮定する。受信用のアンテナ１４を、図２の矢印１５で示すように、車両１１の周囲を３６０度移動させながら、受信用のアンテナ１４が車両１１の置かれた仮想の地面から所定の高さの位置における、車載アンテナ１３からの電波を受信したときの電波の電界強度を演算することによって、電磁波解析シミュレーションが行われる。
【００１８】
電磁波解析シミュレーションは、パーソナルコンピュータ（以下、PCという）等のコンピュータにおいてシミュレーションプログラムが実行されることによって行われる。図３は、電磁波解析シミュレーションを行うための電磁波解析装置の構成を説明するための構成図である。電磁波解析装置２１は、中央処理装置（以下、CPUという）を有するコンピュータ本体２２と、各種データ及びプログラムを記憶する記憶装置２３と、キー入力装置であるキーボード２４と、ポインティングデバイスであるマウス２５と、表示装置であるモニタ２６とを含む。コンピュータ本体２１に、記憶装置２３、キーボード２４、マウス２５、及びモニタ２６が接続されている。記憶装置２３には、シミュレーションに必要な、後述するプログラム及びデータがストアされる。
【００１９】
電磁波解析シミュレーションプログラムとしては、例えば、電磁波解析ソフトウエア「ACCUFIELD2000」（富士通株式会社製）を利用することができる。電磁波解析ソフトウエア「ACCUFIELD2000」は、モーメント法により３次元形状の電磁波解析を行うことができる。従って、この電磁波解析ソフトウエアを利用して、幾何学的なメッシュにより表現された要素と、電気回路素子により表現された要素に対して、モーメント法により電磁波解析を行うことができる。電磁波解析ソフトウエア「ACCUFIELD2000」を用いた場合、平面メッシュのモーメント法を利用してシミュレーションが行われ、そのソフトウエアによれば、平面メッシュで定義された要素の部分を電気回路素子で置き換えることができる。
【００２０】
次に、車両のモデル化の具体的な例を説明する。車両は、複数の部材からなる複雑な構造をしているが、図１に対応させて説明を簡単にするために、ここでは、車両１１のボディの一部と、ドア部と、そのボディの一部とドア部とを接続するヒンジ部の、３つの要素を例として説明する。
【００２１】
図４は、車両におけるドア部の構成を説明するための図である。ボディ部３１と、ドア部３２は、２つのヒンジ部３３によって接続されている。ボディ部３１とドア部３２は、比較的大きな部材からなる構造体の要素、あるいは比較的大きな部材の集合の構造体の要素であるので、幾何学的な３次元データに基づいて、メッシュ分割しメッシュデータにより表現されてモデル化される。一方、ヒンジ部３３は、解析周波数に対しては無視できない大きさの部材であって、かつ解析周波数帯において周波数特性を有する構造体であるので、周波数特性を有する集中定数素子を用いてモデル化を行う。
【００２２】
従って、車両のモデル化を行うときに、比較的大きな部材等の要素は、幾何学的な３次元のメッシュデータで表現してモデル化を行い、比較的小さな部材等の要素であって、周波数特性を有する要素は、集中定数素子を用いて電気的に等価な回路素子で表現してモデル化を行う。
【００２３】
解析対象は、複数の要素からなる。よって、シミュレーションを行うユーザは、電磁波解析装置２１のキーボード２４、マウス２５及びモニタ２６のマンマシンインターフェース（以下、MMIと略す）を利用して、メッシュデータにより表現された要素と集中定数素子により表現された要素のいずれであるかを各要素について指定し、かつ、各要素のパラメータを設定することによって車両のモデル化を行う。
【００２４】
具体的には、解析対象のメッシュデータの中から、メッシュデータにより表現する要素については、パラメータとして厚さｄと導電率σを設定し、集中定数素子により表現する要素については、誘導素子、抵抗素子及び容量素子のいずれかの値、又は誘導素子、抵抗素子及び容量素子の中から少なくとも２つ以上の組み合わせの回路構成の抵抗素子、容量素子及び誘導素子の各値を、パラメータとして設定する。
【００２５】
上述したボディ部３１と、ドア部３２と、２つのヒンジ部３３の場合であれば、１つの要素であるボディ部３１のメッシュデータについては、パラメータとして厚さｄと導電率σを設定し、同様に、１つの要素であるドア部３２のメッシュデータについても、各メッシュ毎にパラメータとして厚さｄと導電率σを設定する。１つの要素であるヒンジ部３３については、生成されているメッシュデータに代えて、ボディ部３１とドア部３２とを接続する導電性部材、例えば周波数特性を有する一つの金属棒部材あるいは一つの金属線部材を仮定して、その導電性部材のパラメータとして、抵抗素子（R）、キャパシンタス（C）、誘導素子（L）の各値を設定する。
【００２６】
後述するように、車両とアンテナの形状データは、例えば３次元CADデータを利用して作成されているので、その３次元CADデータを用いて車両とアンテナの形状をメッシュ分割してメッシュデータが生成される。その車両とアンテナのメッシュデータの中から、メッシュデータとして利用する要素と、メッシュデータに代えて電気回路素子の表現に置き換える要素とが分けられる。その分けられた各要素について、パラメータを設定、メッシュデータであれば厚さｄと導電率σを、電気回路素子であれば回路構成と各素子の値を設定する。
【００２７】
このような要素の選択、各要素のパラメータの設定は、電磁波解析装置２１のMMIを使って、その電気回路素子に置き換える部分のメッシュ部を削除し、電気回路素子により置き換えてモデル化するという作業が行われる。
【００２８】
どのような要素が電気回路素子で置き換えられるか、さらに各パラメータ値をいくつにするかは、実測値を用いて決定される。例えば、設計して作成したアンテナと、そのアンテナを設置した車両について、電磁波の強度値の実測結果とシミュレーション結果とから、電気回路素子によって表現された要素の回路構成と各パラメータ値は、必要な修正をして決定される。
【００２９】
本実施の形態では、ドアのヒンジ部３３は、FM帯に対しては十分に小さな構造的要素である。また、ヒンジ部３３によって接続されたボディ部３１とドア部３２間のインピーダンスは周波数特性を有する。さらに、例えば、FM周波数帯において高周波域では、インピーダンスは非常に大きく、低周波域では非常に小さい。そこで、ヒンジ部３３の要素を、インピーダンスに対して周波数特性を有する電気回路素子、例えば、誘導成分の誘導素子（L）を用いて電気的な等価回路の回路構成で表現する。
【００３０】
さらに、車体に流れる直流成分も考慮してモデル化する場合は、ヒンジ部３３の要素を、電気回路素子として、誘導素子（L）と抵抗成分の抵抗素子（R）とを組み合わせた回路構成の電気回路によって表現する。さらに、ヒンジ部３３の要素を、ドア部３２とボディ部３１の間のギャップによる容量的な成分も考慮して、誘導素子（L）と抵抗素子（R）と容量成分の容量素子（C）を組み合わせた電気的な等価回路の回路構成によって表現する。
【００３１】
図５及び図６は、ヒンジ部３３をモデル化した電気回路の回路構成の例を示す回路図である。図５は、容量素子４１と誘導素子４２とが並列接続された回路４３と、抵抗素子４３とが直列に接続された電気回路を示す図である。図６は、容量素子５１と誘導素子５２と抵抗素子５３とが並列に接続された５４回路と、抵抗素子５５とが直列に接続された電気回路を示す図である。上述したように、所定の電磁波に対するモデル化する構造体の周波数特性に応じて、図５、図６のような電気回路の各電気回路素子の値を設定することによって、電気的な等価回路によってヒンジ部３３をモデル化して表現する。
【００３２】
なお、以上の説明では、電気回路素子によって表現すべき要素としてドアのヒンジ部を例として説明したが、車両においては、他には、シートレール部、リアシートのヒンジ部、シートブラケット部等がある。
【００３３】
従って、以上のように、車両のモデル化を行うときに、比較的大きな部材のみからなる構造体等の要素は、幾何学的なメッシュデータでモデル化を行い、比較的小さな部材の集合体等であって、周波数特性を有する要素は、集中定数素子を用いて電気的な等価回路によるモデル化を行う。このようにしてモデル化されたモデルデータを用いて図２に示すような車載用アンテナの電磁波解析のシミュレーションが行われる。
【００３４】
次に、図７は、車両に搭載される車載用アンテナの電磁波解析のシミュレーションを行う電磁波解析装置２１におけるシミュレーション処理の流れの例を示す機能ブロック構成図である。なお、図７では、各処理要素が、機能ブロックによって表現されているが、各機能ブロック６１から６４は、それぞれソフトウエアプログラムである。
【００３５】
メッシュデータを生成するために必要な元となるデータとして、解析対象の車両及びアンテナの３次元的構造のデータが利用される。３次元的構造のデータを、いわゆるスクラッチで、すなわちゼロから作成してもよいが、車両の構造のデータとして、既に作成されている、例えば風洞実験用の３次元CADデータがあれば、既にあるそのデータを利用してもよい。例えば、３次元CADデータとしては、３次元CADソフトウエアであるCATIA（商品名）から出力されるNastranデータ等である。
【００３６】
電磁波解析装置２１は、その３次元CADデータを記録媒体によって、あるいは通信によって取得して、記憶装置２３にストアする。その取得した３次元CADデータは、メッシュデータを生成するメッシュ生成部６１に入力される。例えば、メッシュ生成部６１のソフトウエアとしては、HyperMesh（商品名）等である。
【００３７】
メッシュ生成部６１では、入力された３次元CADデータから、プリ処理部６２において処理可能なメッシュデータを生成する。メッシュ生成部６１では、解析対象の構造体である車両とアンテナについて、解析周波数の１０分の１の波長、すなわちλ／１０（ここで、λは解析周波数）以下のサイズになるように、メッシュを生成する。例えば、解析周波数が５００MHｚであった場合は、１λが６０ｃｍであるので、λ／１０は、６ｃｍとなる。従って、メッシュは、６ｃｍ以下のサイズとなる。
【００３８】
次に、メッシュに分割された解析対象のモデルのメッシュデータは、電気回路素子要素設定部であるプリ処理部６２へ供給される。プリ処理部６２では、ユーザがMMIを利用して、メッシュデータの中から、電気回路素子によって表現すべき要素である、例えば、ヒンジ部等のメッシュデータを、集中定数回路素子の電気回路の表現データに変換し、各パラメータの設定を行う。さらに、シミュレーションの解析条件、解析パラメータの設定などが行われる。すなわち、メッシュデータの中で、電気回路素子の表現にすべき要素を特定あるいは選定して、電気回路素子による回路構成の作成、各電気回路素子のパラメータの設定、等がプリ処理部６２において行われる。メッシュデータは、例えば、要素毎にテキストデータとして表現されるため、そのテキストデータを、MMI上に表示させ、集中定数回路素子の電気回路の表現データに変換し、さらに各パラメータの設定を行うことによって、電気回路素子によって表現すべき要素を設定することができる。
【００３９】
プリ処理部６２から  幾何学的なメッシュにより表現された要素のデータと、電気回路素子により表現された要素のデータがソルバ部６３へ供給されて、モーメント法により電磁波解析のためのシミュレーション処理が実行される。このソルバ部６３は、電磁界状態の解析を行う電磁波解析部であり、上述した図２に示すように、モデル化された車両１１が、シミュレーションの空間１２内に配置されていると仮定して行われる。上述したように、受信用のアンテナ１４を、図２の矢印１５で示すように、車両１１の周囲を取り囲むように３６０度移動させながら、受信用のアンテナ１４が車両１１の置かれた仮想の地面から所定の高さの位置における、車載アンテナ１３からの電波を受信したときの電波の電界強度を演算することによって、電磁波解析シミュレーションが行われる。ソルバ部６３は、電磁波解析ソフトウエア「ACCUFIELD2000」などのソフトウエアである。
【００４０】
なお、本実施の形態では、モーメント法による電磁波解析ソフトウエアを利用した例を説明したが、本発明は、モーメント法以外の電磁波解析ソフトウエアを利用した場合にも適用できるものである。
【００４１】
シミュレーション処理の結果は、ポスト処理部６４において、解析結果等をモニタ２６にグラフ表示等するための予め決められた処理であるポスト処理が行われる。
【００４２】
以上のように、比較的小さな部材の要素、あるいは比較的小さな部材の集合の構造体に対しては、周波数特性を有する集中定数素子を用いてモデル化を行うので、シミュレーションにおけるモデル化の工数が低減され、かつメッシュ数も少なくなりシミュレーションの演算時間を短くすることができる。
【００４３】
図８乃至図１１は、ある車両について、ドアのヒンジ部３３を、電気的な等価な電気回路でモデル化したときの、データ処理によるシミュレーション結果と、実際に試作して伝搬室等で実測した結果を示すグラフである。図２は仮想的な車両とアンテナを想定する場合を説明するため図であるが、伝搬室等で実測する方法は、図２を利用して説明した方法と同様な方法で、実際の車両をテーブル上で回転させ、送信アンテナから送信した電波を、回転する車両に搭載したアンテナで実際に受信して行う。
【００４４】
図８と図９は、ある車両について、ドアのヒンジ部３３を、１μHの誘導素子によって、電気的な等価な電気回路でモデル化したときの、データ処理によるシミュレーション結果と、実際に試作して伝搬室等で実測した結果を示すグラフである。図８は、FMの周波数帯において、低周波域として８４MHzの場合のグラフであり、図９は、高周波域として１０８MHzの場合のグラフである。図８と図９は、図２に示すように車両の後方の左側側のガラスにアンテナを搭載し、車両の後方を０度と、前方を１８０度として、左回りに受信アンテナを回転させてシミュレーション及び実測をしたときのグラフである。図１０と図１１も同様である。
【００４５】
図８と図９から、高周波域と低周波域において、共にシミュレーションの結果と実測の結果とが一致していることが確認できた。
【００４６】
図１０と図１１は、ある車両について、ドアのヒンジ部３３を、１μHの誘導素子と、低周波における直流的な電流を考慮して１００Ωの抵抗素子とを並列に接続した、電気的な等価な電気回路でモデル化したときの、データ処理によるシミュレーション結果と、実際に試作して伝搬室等で実測した結果を示すグラフである。図１０は、FMの周波数帯において、低周波域として８４MHzの場合のグラフであり、図１１は、高周波域として１０８MHzの場合のグラフである。
【００４７】
図１０と図１１から、高周波域と低周波域において、共にシミュレーションの結果と実測の結果とが一致し、特に低周波域ではさらによく一致していることが確認できた。
【００４８】
なお、上述したポスト処理部６４は、図８から図１１のようなグラフ、すなわちシミュレーションのグラフを、解析結果としてモニタ２６に表示する。
【００４９】
なお、以上の解析方法は、PC、携帯電話、コピー機等の電子機器における電磁波解析にも利用できる。
【００５０】
また、本実施の形態に係わる電磁波解析シミュレーションは、車載用アンテナの設計が車両の設計と並行して行われるような場合に、いわゆる上流工程における基本的な設計段階において、設計した車載用アンテナを定性的かつ定量的に評価する場合にも有効である。さらに、当然に、いわゆる下流工程における詳細設計段階において、最終的なアンテナパターン形状等の微調整を行うような場合にも有効である。
【００５１】
本発明は、上述した実施の形態に限定されるものではなく、本発明の要旨を変えない範囲において、種々の変更、改変等が可能である。
【図面の簡単な説明】
【００５２】
【図１】本発明の実施の形態に係わる電磁波解析装置における解析対象のモデル化の原理を説明するための図である。
【図２】本発明の実施の形態に係わる車載用アンテナの電磁波解析のシミュレーションの方法を説明するための図である。
【図３】本発明の実施の形態に係わる電磁波解析シミュレーションを行うための電磁波解析装置の構成を説明するための構成図である。
【図４】本発明の実施の形態に係わる車両におけるドア部の構成を説明するための図である。
【図５】本発明の実施の形態に係わるヒンジ部３３をモデル化した電気回路の回路構成の例を示す回路図である。
【図６】本発明の実施の形態に係わるヒンジ部３３をモデル化した電気回路の回路構成の例を示す回路図である。
【図７】本発明の実施の形態に係わる電磁波解析装置におけるシミュレーション処理の流れの例を示す機能ブロック構成図である。
【図８】本発明の実施の形態に係わるシミュレーション結果と、実際に試作して伝搬室等で実測した結果を示すグラフである。
【図９】本発明の実施の形態に係わるシミュレーション結果と、実際に試作して伝搬室等で実測した結果を示すグラフである。
【図１０】本発明の実施の形態に係わるシミュレーション結果と、実際に試作して伝搬室等で実測した結果を示すグラフである。
【図１１】本発明の実施の形態に係わるシミュレーション結果と、実際に試作して伝搬室等で実測した結果を示すグラフである。
【符号の説明】
【００５３】
１，２，３  要素、１１  車両、１２  仮想空間、１３，１４  アンテナ、２１  電磁波解析装置、２２  本体、２３  記憶装置、２４  キーボード、２５  マウス、２６  モニタ、３１  ボディ部、３２  ドア部、３３  ヒンジ部７  ４１，４２，４４，５１，５２，５３，５５  電気回路素子
代理人    弁理士    伊  藤    進  
【図１】
2005291948.tif 000003
【図２】
2005291948.tif 000004
【図３】
2005291948.tif 000005
【図４】
2005291948.tif 000006
【図５】
2005291948.tif 000007
【図６】
2005291948.tif 000008
【図７】
2005291948.tif 000009
【図８】
2005291948.tif 000010
【図９】
2005291948.tif 000011
【図１０】
2005291948.tif 000012
【図１１】
2005291948.tif 000013